Podtech/llm-jp-corpus-v4-ja_patent huggingface dataset:
【手続補正書】
【提出日】平成23年8月30日(2011.8.30)
【手続補正１】
【補正対象書類名】特許請求の範囲
【補正対象項目名】全文
【補正方法】変更
【補正の内容】
【特許請求の範囲】
【請求項１】
画像データを記憶するためのメモリおよび電源用の電池の少なくとも一つを有する携帯機器と、
上記携帯機器から送信されてきた上記画像データを受信する受信部と、
上記画像データを再生表示する再生表示部と、
を有する画像表示システムにおいて、
上記受信部は、上記画像データに加えて、上記携帯機器内の上記電池の電池状態および上記メモリのメモリ状態を表す信号のうちの少なくとも一つを含む情報を受信し、
上記再生表示部は、上記受信した上記情報に基づいて表示を行う、
ことを特徴とする画像表示システム。
【請求項２】
上記再生表示部は、上記情報を表示する際に、上記電池状態および上記メモリ状態の内の少なくとも一つをグラフ化して表示することを特徴とする請求項１に記載の画像表示システム。
【請求項３】
撮影画像の画像データを外部表示機器に送信するための送信部を有するカメラにおいて、
上記画像データを取得するための撮像部と、
電源用の電池の電池電圧情報や充電電日時情報、上記画像データのメモリ容量情報の少なくとも一つを検出する検出部と、
上記撮影画像の画像データの送信時に、上記カメラの上記電池電圧情報、上記充電日時情報、上記メモリ容量情報のいずれかを送信する送信制御部と、
を有することを特徴とするカメラ。
【請求項４】
携帯機器から送信されてきた画像データを受信する受信部と、
上記画像データを再生表示する再生表示部と、
を有する表示装置において、
上記受信部が、上記携帯機器の電池状態およびメモリ状態を表す信号のうちの少なくとも一つを含むカメラ情報を受信し、
上記再生表示部は、上記受信した上記カメラ情報に基づいて表示を行う、
ことを特徴とする表示装置。
【請求項５】
上記再生表示部は、上記カメラ情報を表示する際に、上記電池状態およびメモリ状態うちの少なくとも一つをグラフ化して表示することを特徴とする請求項４に記載の表示装置。
【請求項６】
上記カメラ情報は、日時情報と共に記録された上記電池状態または上記メモリ状態の経時変化を示す情報であり、
上記再生表示部は、上記電池状態および上記メモリ状態の少なくとも一つの経時変化に基づいてグラフ化して表示することを特徴とする請求項５に記載の表示装置。
【請求項７】
上記再生表示部は、上記カメラ情報を表示するにあたって、再生時における状況を判定し、条件を満たす場合に上記カメラ情報を表示することを特徴とする請求項４に記載の表示装置。
【請求項８】
上記受信部が所定期間内に亘って、上記カメラ情報を受信しなかった場合には、上記再生表示部は警告表示を行うことを特徴とする請求項４に記載の表示装置。
【手続補正２】
【補正対象書類名】明細書
【補正対象項目名】発明の名称
【補正方法】変更
【補正の内容】
【発明の名称】画像表示システム、カメラおよび表示装置
【手続補正３】
【補正対象書類名】明細書
【補正対象項目名】０００１
【補正方法】変更
【補正の内容】
【０００１】
本発明は、画像表示システム、カメラおよび表示装置に関し、詳しくは、カメラおよび表示装置間でデータの受け渡しを行うことの可能な、画像表示システム、カメラおよび表示装置に関する。
【手続補正４】
【補正対象書類名】明細書
【補正対象項目名】０００５
【補正方法】変更
【補正の内容】
【０００５】
本発明は、このような事情を鑑みてなされたものであり、ユーザのカメラの使用履歴、または消耗状態を簡単に日々管理することの可能な画像表示システム、カメラおよび表示装置を提供することを目的とする
【手続補正５】
【補正対象書類名】明細書
【補正対象項目名】０００６
【補正方法】変更
【補正の内容】
【０００６】
上記目的を達成するため第１の発明に係わる画像表示システムは、画像データを記憶するためのメモリおよび電源用の電池の少なくとも一つを有する携帯機器と、上記携帯機器から送信されてきた上記画像データを受信する受信部と、上記画像データを再生表示する再生表示部と、を有する画像表示システムにおいて、上記受信部は、上記画像データに加えて、上記携帯機器内の上記電池の電池状態および上記メモリのメモリ状態を表す信号のうちの少なくとも一つを含む情報を受信し、上記再生表示部は、上記受信した上記情報に基づいて表示を行う。
第２の発明に係わる画像表示システムは、上記再生表示部は、上記情報を表示する際に、上記電池状態および上記メモリ状態の内の少なくとも一つをグラフ化して表示する。
【手続補正６】
【補正対象書類名】明細書
【補正対象項目名】０００７
【補正方法】変更
【補正の内容】
【０００７】
第３の発明に係わるカメラは、撮影画像の画像データを外部表示機器に送信するための送信部を有するカメラにおいて、上記画像データを取得するための撮像部と、電源用の電池の電池電圧情報や充電電日時情報、上記画像データのメモリ容量情報の少なくとも一つを検出する検出部と、上記撮影画像の画像データの送信時に、上記カメラの上記電池電圧情報、上記充電日時情報、上記メモリ容量情報のいずれかを送信する送信制御部と、を有する。
【手続補正７】
【補正対象書類名】明細書
【補正対象項目名】０００８
【補正方法】変更
【補正の内容】
【０００８】
第４の発明に係わる表示装置は、携帯機器から送信されてきた画像データを受信する受信部と、上記画像データを再生表示する再生表示部と、を有する表示装置において、上記受信部が、上記携帯機器の電池状態およびメモリ状態を表す信号のうちの少なくとも一つを含むカメラ情報を受信し、上記再生表示部は、上記受信した上記カメラ情報に基づいて表示を行う。
第５の発明に係わる表示装置は、上記第４の発明において、上記再生表示部は、上記カメラ情報を表示する際に、上記電池状態およびメモリ状態うちの少なくとも一つをグラフ化して表示する。
第６の発明に係わる表示装置は、上記第５の発明において、上記カメラ情報は、日時情報と共に記録された上記電池状態または上記メモリ状態の経時変化を示す情報であり、上記再生表示部は、上記電池状態および上記メモリ状態の少なくとも一つの経時変化に基づいてグラフ化して表示する。
【手続補正８】
【補正対象書類名】明細書
【補正対象項目名】０００９
【補正方法】変更
【補正の内容】
【０００９】
第７の発明に係わる表示装置は、上記第４の発明において、上記再生表示部は、上記カメラ情報を表示するにあたって、再生時における状況を判定し、条件を満たす場合に上記カメラ情報を表示する。
【手続補正９】
【補正対象書類名】明細書
【補正対象項目名】００１０
【補正方法】変更
【補正の内容】
【００１０】
第８の発明に係わる表示装置は、上記第４の発明において、上記受信部が所定期間内に亘って、上記カメラ情報を受信しなかった場合には、上記再生表示部は警告表示を行う。
【手続補正１０】
【補正対象書類名】明細書
【補正対象項目名】００１１
【補正方法】変更
【補正の内容】
【００１１】
本発明によれば、ユーザのカメラの使用履歴、または消耗状態を簡単に日々管理することの可能な画像表示システム、カメラおよび表示装置を提供することができる。
【手続補正書】
【提出日】平成23年9月7日(2011.9.7)
【手続補正１】
【補正対象書類名】特許請求の範囲
【補正対象項目名】全文
【補正方法】変更
【補正の内容】
【特許請求の範囲】
【請求項１】
撮像素子にて生成された第１の被写体像、又は前記第１の被写体像に拡大若しくは縮小処理を施して得られる第２の被写体像が入力されて被写体像の特定の領域を検出する検出手段と、
前記第１の被写体像が入力されたときの前記検出手段の検出情報を用いて第１の処理を施す第１の処理手段と、
前記第２の被写体像が入力されたときの前記検出手段の検出情報を用いて前記第１の処理と異なる第２の処理を施す第２の処理手段と、
前記検出手段に対して、前記第１の被写体像と前記第２の被写体像とを所定の周期ごとに切り換えて入力させる制御手段と、を備えることを特徴とする撮像装置。
【請求項２】
撮像素子にて生成された被写体像が入力されて該被写体像の特定の領域を検出する検出手段と、
前記検出手段の検出情報を用いて第１の処理を施す第１の処理手段と、
前記検出手段の検出情報を用いて前記第１の処理と異なる第２の処理を施す第２の処理手段と、
前記第１の処理手段に対応する検出情報の頻度が前記第２の処理手段に対応する検出情報の頻度よりも高くなるように、前記第１の処理手段に対応する検出情報と前記第２の処理手段に対応する検出情報とを所定の周期で切り換えて前記検出手段に生成させる制御手段と、を備えることを特徴とする撮像装置。
【請求項３】
前記第１の処理手段は、前記検出手段によって前記第１の被写体像から検出された前記特定の領域におけるコントラストが最も強くなるように、フォーカスレンズの位置を制御し、
前記第２の処理手段は、前記検出手段によって前記第２の被写体像から検出された前記特定の領域の位置を、前記第２の被写体像から変換した記録用画像データとともに記録手段に記録することを特徴とする請求項１または２に記載の撮像装置。
【請求項４】
撮像素子にて生成された第１の被写体像、又は前記第１の被写体像に拡大若しくは縮小処理を施して得られる第２の被写体像が入力されて被写体像の特定の領域を検出する検出ステップと、
前記第１の被写体像が入力されたときの前記検出ステップでの検出情報を用いて第１の処理を施す第１の処理ステップと、
前記第２の被写体像が入力されたときの前記検出ステップでの検出情報を用いて前記第１の処理と異なる第２の処理を施す第２の処理ステップと、
前記検出ステップに対して、前記第１の被写体像と前記第２の被写体像とを所定の周期ごとに切り換えて入力させる切り換えステップと、を備えることを特徴とする撮像装置の制御方法。
【請求項５】
撮像素子にて生成された被写体像が入力されて該被写体像の特定の領域を検出する検出ステップと、
前記検出ステップでの検出情報を用いて第１の処理を施す第１の処理ステップと、
前記検出ステップでの検出情報を用いて前記第１の処理と異なる第２の処理を施す第２の処理ステップと、
前記第１の処理ステップに対応する検出情報の頻度が前記第２の処理ステップに対応する検出情報の頻度よりも高くなるように、前記第１の処理ステップに対応する検出情報と前記第２の処理ステップに対応する検出情報とを所定の周期で切り換えて前記検出ステップで生成させる切り換えステップと、を備えることを特徴とする撮像装置の制御方法。
【手続補正２】
【補正対象書類名】明細書
【補正対象項目名】００１２
【補正方法】変更
【補正の内容】
【００１２】
上記目的を達成するために、本発明の撮像装置は、撮像素子にて生成された第１の被写体像、又は前記第１の被写体像に拡大若しくは縮小処理を施して得られる第２の被写体像が入力されて被写体像の特定の領域を検出する検出手段と、前記第１の被写体像が入力されたときの前記検出手段の検出情報を用いて第１の処理を施す第１の処理手段と、前記第２の被写体像が入力されたときの前記検出手段の検出情報を用いて前記第１の処理と異なる第２の処理を施す第２の処理手段と、前記検出手段に対して、前記第１の被写体像と前記第２の被写体像とを所定の周期ごとに切り換えて入力させる制御手段と、を備えることを特徴とする。
【手続補正３】
【補正対象書類名】明細書
【補正対象項目名】００１３
【補正方法】変更
【補正の内容】
【００１３】
本発明の撮像装置は、撮像素子にて生成された被写体像が入力されて該被写体像の特定の領域を検出する検出手段と、前記検出手段の検出情報を用いて第１の処理を施す第１の処理手段と、前記検出手段の検出情報を用いて前記第１の処理と異なる第２の処理を施す第２の処理手段と、前記第１の処理手段に対応する検出情報の頻度が前記第２の処理手段に対応する検出情報の頻度よりも高くなるように、前記第１の処理手段に対応する検出情報と前記第２の処理手段に対応する検出情報とを所定の周期で切り換えて前記検出手段に生成させる制御手段と、を備えることを特徴とする。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正書】
【提出日】平成23年8月25日(2011.8.25)
【手続補正１】
【補正対象書類名】特許請求の範囲
【補正対象項目名】全文
【補正方法】変更
【補正の内容】
【特許請求の範囲】
【請求項１】
パルプ又は古紙配合パルプを叩解して抄紙してなり乾燥紙力増強剤を含む坪量１９ｇ/ｍ2以上２３ｇ/ｍ2以下の単一シートを２枚重ねたペーパータオルを巻芯の周りに巻回してなるペーパータオルのロール体であって、
前記単一シートはそれぞれエンボス加工されて糊付けされ、
保水量が１９０ｇ/ｍ2以上、ＧＭＴが１１．３以上であり、
前記一方の単一シートのエンボス凸部は、前記他の単一シートのエンボス凹部に入り込んだ状態で糊付けされ、
前記エンボス凸部のエンボス面積は、５〜３０％であり、
６２５ｇの荷重下で、前記ロール体の径の変形量が１２ｍｍ以下、巻径１００〜１２０ｍｍ、巻長１１．０〜１２．０ｍであるペーパータオルのロール体。
【請求項２】
前記ロール体を構成する前記ペーパータオルには、前記ロール体の軸方向に沿ってミシン目が形成され、
前記ミシン目の切断強度が１１．８〜２１．６Ｎ/100ｍｍである請求項１に記載のペーパータオルのロール体。
【手続補正２】
【補正対象書類名】明細書
【補正対象項目名】発明の名称
【補正方法】変更
【補正の内容】
【発明の名称】ペーパータオルのロール体
【手続補正３】
【補正対象書類名】明細書
【補正対象項目名】０００１
【補正方法】変更
【補正の内容】
【０００１】
この発明は、キッチンペーパー等のペーパータオルのロール体に関する。
【手続補正４】
【補正対象書類名】明細書
【補正対象項目名】０００４
【補正方法】変更
【補正の内容】
【０００４】
これらのペーパータオル（特にキッチンペーパー）の用途として、油汚れの拭き取りなど、力のかかる使用がされる場合があるが、シートの破れやヘタリが生じて、吸水性が発揮されないことがあった。
このような場合、エンボス加工を施すと吸水性や吸油性は向上するが、強度が低下する傾向にある。一方、強度を重視してエンボス加工を弱めると、エンボス効果が低下し、吸水性や紙厚の低下を招く。又、紙厚の低下によりロールに巻き取った際の巻き径の縮小(見栄えの悪化)等が起きる。また、シートの抄紙時の原料パルプの叩解の度合いを高めることも強度向上につながるが、吸収性やシートの風合いが低下する。
これらに対し、シートの坪量を増やすことが解決策となるが、原料価格の高騰や省資源化志向の高まりにより、坪量の増大は難しい。
そこで、本発明は、坪量を抑えつつ、強度と吸水性に優れたペーパータオルのロール体の提供を目的とする。
【手続補正５】
【補正対象書類名】明細書
【補正対象項目名】０００５
【補正方法】変更
【補正の内容】
【０００５】
上記課題を解決するため、本発明のペーパータオルのロール体は、パルプ又は古紙配合パルプを叩解して抄紙してなり乾燥紙力増強剤を含む坪量１９ｇ/ｍ2以上２３ｇ/ｍ2以下の単一シートを２枚重ねたペーパータオルを巻芯の周りに巻回してなるペーパータオルのロール体であって、前記単一シートはそれぞれエンボス加工されて糊付けされ、保水量が１９０ｇ/ｍ2以上、ＧＭＴが１１．３以上であり、前記一方の単一シートのエンボス凸部は、前記他の単一シートのエンボス凹部に入り込んだ状態で糊付けされ、前記エンボス凸部のエンボス面積は、５〜３０％であり、６２５ｇの荷重下で、前記ロール体の径の変形量が１２ｍｍ以下、巻径１００〜１２０ｍｍ、巻長１１．０〜１２．０ｍである。
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】削除
【補正の内容】
【手続補正８】
【補正対象書類名】明細書
【補正対象項目名】０００９
【補正方法】変更
【補正の内容】
【０００９】
この発明によれば、坪量を抑えつつ、強度と吸水性に優れたペーパータオルのロール体が得られる。
【手続補正書】
【提出日】平成23年9月13日(2011.9.13)
【手続補正１】
【補正対象書類名】特許請求の範囲
【補正対象項目名】全文
【補正方法】変更
【補正の内容】
【特許請求の範囲】
【請求項１】
遊技領域内に配置され遊技媒体が入賞可能な始動口と、
該始動口に遊技媒体が入賞したことを検出する入賞状態検出手段と、
該入賞状態検出手段による前記遊技媒体の検出に基づいて抽選を行う抽選手段と、
所定の開閉動作を行い、閉状態から開状態に変化したときに前記遊技媒体が入賞可能となる開閉入賞装置と、
前記抽選手段の抽選結果が当りである場合には、前記開閉入賞装置の開閉動作を行うことで、遊技者に利益を付与する利益付与状態に制御する利益付与状態制御手段と、
遊技の進行に伴う遊技状態に関する所定の演出画像が表示可能な演出表示装置と、を備えた遊技機において、
前記利益付与状態後の抽選において前記利益付与状態に制御される確率を、次回に前記利益付与状態に制御されるまで通常時よりも高い高確率状態に制御する高確率状態制御手段と、
前記抽選手段の抽選結果が当りとなるのを契機として、前記利益付与状態後の抽選において前記高確率状態に制御することで、前記利益付与状態が連続的に繰り返される態様を複数回にわたって制御可能とする連続利益付与状態制御手段と、
前記遊技状態に関する演出画像を複数種類記憶する演出画像記憶手段と、
前記演出表示装置の表示領域において前記遊技状態に関する演出画像を順次表示制御する演出表示制御手段と、をさらに備え、
前記演出画像記憶手段には、前記連続利益付与状態制御手段による前記複数回の利益付与状態に基づいて創出される長期滞在時間以下の演出時間からなる長編の演出画像が記憶されるものであり、
前記演出表示制御手段は、前記長期滞在時間において、前記遊技状態に関わらず前記長編の演出画像を完了するまで継続的に表示制御することを特徴とする遊技機。
【請求項２】
前記遊技領域に向けて遊技媒体を打ち込む発射手段を備えることを特徴とする請求項１記載の遊技機。
【請求項３】
前記入賞状態検出手段による前記遊技媒体の検出に基づいて乱数を取得する乱数取得手段を備え、
前記抽選手段は、前記乱数取得手段により取得された乱数に基づいて抽選を行うことを特徴とする請求項１または請求項２に記載の遊技機。
【手続補正書】
【提出日】平成23年9月14日(2011.9.14)
【手続補正１】
【補正対象書類名】特許請求の範囲
【補正対象項目名】全文
【補正方法】変更
【補正の内容】
【特許請求の範囲】
【請求項１】
被検者眼に入射させる超音波ビームを出射するとともに被検者眼で反射された超音波ビームを検出する探触子と、
前記探触子からの出力信号を処理して被検者眼の眼圧を求める演算部と、
を有する非接触式超音波眼圧計において、
前記探触子は、広帯域の周波数成分を有する超音波ビームを送受波する広帯域空気結合超音波探触子を有することを特徴とする非接触式超音波眼圧計。
【請求項２】
請求項１の超音波眼圧計において、
被検者眼と眼圧計との適正作動距離は、少なくとも１０ｍｍより長い距離に設定されており、
前記探触子は、前記適正作動距離における超音波ビームの照射エリアが被検者眼の角膜エリアに収まるように、その出射径又は出射面形状が定められていることを特徴とする非接触式超音波眼圧計。
【請求項３】
請求項２の超音波眼圧計において、
前記振動子は、照射された超音波ビームが収束されるように、その出射面形状が凹面形状になっている又はその出射面がフレネルゾーンプレートになっていることを特徴とする非接触式超音波眼圧計。
【手続補正２】
【補正対象書類名】明細書
【補正対象項目名】０００７
【補正方法】変更
【補正の内容】
【０００７】
（１）  被検者眼に入射させる超音波ビームを出射するとともに被検者眼で反射された超音波ビームを検出する探触子と、
前記探触子からの出力信号を処理して被検者眼の眼圧を求める演算部と、
を有する非接触式超音波眼圧計において、
前記探触子は、広帯域の周波数成分を有する超音波ビームを送受波する広帯域空気結合超音波探触子であることを特徴とする。
（２）  （１）の超音波眼圧計において、
被検者眼と眼圧計との適正作動距離は、少なくとも１０ｍｍより長い距離に設定されており、
前記探触子は、前記適正作動距離における超音波ビームの照射エリアが被検者眼の角膜エリアに収まるように、その出射径又は出射面形状が定められていることを特徴とする。
（３）  （２）の超音波眼圧計において、
前記探触子は、照射された超音波ビームが収束されるように、その出射面形状が凹面形状になっている又はその出射面がフレネルゾーンプレートになっていることを特徴とする。
【手続補正書】
【提出日】平成23年9月14日(2011.9.14)
【手続補正１】
【補正対象書類名】特許請求の範囲
【補正対象項目名】全文
【補正方法】変更
【補正の内容】
【特許請求の範囲】
【請求項１】
被検者眼に入射させる超音波を発するとともに被検者眼で反射された超音波を検出する探触子と、
前記探触子から出力された測定信号を処理して眼圧を求める演算部と、
を有し、被検者眼の眼圧を測定する非接触式超音波眼圧計において、
被検者眼と眼圧計との適正作動距離は、少なくとも１０ｍｍより長く設定されており、
前記探触子は、超音波ビームの前記適正作動距離における照射エリアが被検者眼の開瞼エリアに収まるように、出射径もしくは出射面形状が定められている，又は吸音材が設けられていることを特徴とする非接触式超音波眼圧計。
【請求項２】
請求項１の非接触式超音波眼圧計において、
前記探触子は、前記照射エリアが前記開瞼エリアよりも小さくなるように設定された共振周波数及び出射径を持つ圧電素子を有することを特徴とする非接触式超音波眼圧計。
【請求項３】
請求項１の非接触式超音波眼圧計において、
前記探触子は、該探触子と被検者眼との間に配置された，該探触子から出射された超音波ビームを吸収する吸音材を有し、
前記吸音材は、前記探触子から出射された超音波ビームを通過させるための開口であって前記開瞼エリアよりも小さい開口を有すると共に、球面波の照射エリアの大きさと吸音材の開口の大きさとが略同じなる位置より前方に形成された球面波吸収部を有することを特徴とする非接触式超音波眼圧計。
【手続補正２】
【補正対象書類名】明細書
【補正対象項目名】０００６
【補正方法】変更
【補正の内容】
【０００６】
（１）  被検者眼に入射させる超音波を発するとともに被検者眼で反射された超音波を検出する探触子と、
前記探触子から出力された測定信号を処理して眼圧を求める演算部と、
を有し、被検者眼の眼圧を測定する非接触式超音波眼圧計において、
被検者眼と眼圧計との適正作動距離は、少なくとも１０ｍｍより長く設定されており、
前記探触子は、超音波ビームの前記適正作動距離における照射エリアが被検者眼の開瞼エリアに収まるように、出射径もしくは出射面形状が定められている，又は吸音材が設けられていることを特徴とする。
（２）  （１）の非接触式超音波眼圧計において、
前記探触子は、前記照射エリアが前記開瞼エリアよりも小さくなるように設定された共振周波数及び出射径を持つ圧電素子を有することを特徴とする。
（３）  （１）の非接触式超音波眼圧計において、
前記探触子は、該探触子と被検者眼との間に配置された，該探触子から出射された超音波ビームを吸収する吸音材を有し、
前記吸音材は、前記探触子から出射された超音波ビームを通過させるための開口であって前記開瞼エリアよりも小さい開口を有すると共に、球面波の照射エリアの大きさと吸音材の開口の大きさとが略同じなる位置より前方に形成された球面波吸収部を有することを特徴とする。
【手続補正書】
【提出日】平成23年9月5日(2011.9.5)
【手続補正１】
【補正対象書類名】特許請求の範囲
【補正対象項目名】全文
【補正方法】変更
【補正の内容】
【特許請求の範囲】
【請求項１】
ハンドルの先端に回転自在に装着されたローラーを備え、該ローラーは外周面に柔軟性を有する捕集シート挿着部が設けられており、該捕集シート挿着部の柔軟性により内径のバラツキを吸収しつつ、円筒状で且外表面に粘着層を有するリント捕集用シートをローラーに外挿自在とし、リント捕集用シートが、剥離紙で被覆した粘着層を有する積層シートからなり、該積層シートの両端縁を相互に接合して円筒状に形成された形状としたことを特徴とするリント清掃用器具。
【請求項２】
リント捕集用シートが、シート状基材の片面に粘着層を形成し、該粘着層を剥離紙で被覆した積層シートを、所望の大きさに裁断した後、一端縁から若干内方の位置において、剥離紙に該端縁に平行なノリシロ用切込みを入れ、該ノリシロ用切込みに沿って剥離紙を除去した後、基材の対向する端縁裏面を該剥離紙の除去により露出した粘着面に接着して、全体を円筒状に成形できるようにしたものであることを特徴とする請求項１記載のリント清掃用器具。
【請求項３】
捕集シート挿着部の柔軟性は、その直径の８５〜１０５％の直径の円筒状リント捕集用シートを受け入れることができるようなものであることを特徴とする請求項１又は２に記載のリント清掃用器具。
【請求項４】
捕集シート挿着部が繊維質材料又は軟質の多孔質材料からなることを特徴とする請求項１乃至３のいずれかに記載のリント清掃用器具。
【請求項５】
リント捕集用シートを円筒状に成形した後、捕集シート挿着部の一端からスライドさせつつ挿着するようにしたことを特徴とする請求項１乃至４のいずれかに記載のリント清掃用器具。
【請求項６】
剥離紙で被覆した粘着層を有する積層シートからなり、該積層シートの両端縁を相互に接合して円筒状に形成された形状としたことを特徴とするリント清掃用器具のためのリント捕集用シート。
【請求項７】
シート状基材の片面に粘着層を形成し、該粘着層を剥離紙で被覆した積層シートを、所望の大きさに裁断した後、一端縁から若干内方の位置において、剥離紙に該端縁に平行なノリシロ用切込みを入れ、該ノリシロ用切込みに沿って剥離紙を除去した後、基材の対向する端縁裏面を該剥離紙の除去により露出した粘着面に接着して、全体を円筒状に成形できるようにしたことを特徴とする請求項６記載のリント清掃用器具のためのリント捕集用シート。
【請求項８】
剥離紙の略中央部に、リント捕集用シートを二つ折りするための折り畳み線を形成したことを特徴とする請求項７記載のリント清掃用器具のためのリント捕集用シート。
【請求項９】
折り畳み線が、剥離紙に形成した切込みであることを特徴とする請求項８記載のリント清掃用器具のためのリント捕集用シート。
【請求項１０】
折り畳み線が、剥離紙に印刷したマーキングであることを特徴とする請求項８記載のリント清掃用器具のためのリント捕集用シート。
【請求項１１】
円筒状に成形したリント捕集用シートの直径が、捕集シート挿着部の直径の８５％〜１０５％となることを特徴とする請求項７乃至１０のいずれかに記載のリント清掃用器具のためのリント捕集用シート。
【手続補正書】
【提出日】平成23年9月13日(2011.9.13)
【手続補正１】
【補正対象書類名】特許請求の範囲
【補正対象項目名】全文
【補正方法】変更
【補正の内容】
【特許請求の範囲】
【請求項１】
遊技機の前面部に設けられる本体部と、
前記本体部に対して相対変位可能に設けられ、操作されたときの操作位置と、操作されていないときの非操作位置との間を変位する操作部と、
前記操作部を前記非操作位置側に付勢する付勢手段と、
前記操作部が前記操作位置に変位したことを検知する操作検知手段とを具備する操作手段を備え、
第１の状態と、前記第１の状態より前記操作部の操作面が前記本体部又は前記前面部から外方に突出する第２の状態とに前記操作手段を状態変化させる状態切替手段と、
所定の開状態と、前記所定の開状態より前記操作部の操作面の少なくとも一部が覆われる閉状態とに状態変化可能な開閉手段とを備え、
前記操作手段の前記操作部への操作状態に応じて前記開閉手段が動作することを特徴とする遊技機。
【請求項２】
前記開状態にある前記開閉手段を前記閉状態とする場合に、前記操作検知手段の検知情報を確認するとともに、
前記操作検知手段の検知情報に基づいて、前記操作部が前記非操作位置にあると判定された場合には、前記開閉手段の前記閉状態への状態変化が許可され、
前記操作検知手段の検知情報に基づいて、前記操作部が前記操作位置にあると判定された場合には、前記開閉手段の前記閉状態への状態変化が許可されないことを特徴とする請求項１に記載の遊技機。
【請求項３】
通電状態が切替えられることで態様変化する電気的作動手段を備え、
前記操作検知手段による検知情報が所定の前記電気的作動手段に関する所定の態様変化の契機として有効な操作有効状態と、有効ではない操作無効状態とがあり、
前記操作有効状態と前記操作無効状態との間の状態変化と、前記開閉手段の前記開状態と前記閉状態との間の状態変化と、前記状態切替手段による前記操作手段の前記第１の状態と前記第２の状態との間の状態変化とが連動して行われる構成であって、
前記操作部の前記操作面を押圧操作することで、前記非操作位置にある前記操作部を前記操作位置へと変位させるとともに、前記第２の状態にある前記操作手段を前記第１の状態へと状態変化させることが可能であり、
前記操作有効状態とされる期間に応じて、前記操作手段を前記第２の状態とする操作期間が設定され、
前記状態切替手段は、前記操作期間においては、前記第２の状態にある前記操作手段の前記操作部が押圧操作され、前記操作手段が前記第１の状態とされた場合であっても、前記操作手段を前記第２の状態へと戻すことを特徴とする請求項１又は２に記載の遊技機。
【請求項４】
前記状態切替手段は、駆動手段と、前記駆動手段の駆動力を前記操作手段に伝達する伝達手段とを備え、
前記駆動手段の駆動により前記伝達手段が動作することに伴って、前記操作手段が前記第１の状態と前記第２の状態とに状態変化するとともに、
前記伝達手段の動作に伴って、前記開閉手段が前記閉状態と前記開状態とに状態変化する構成であって、
前記伝達手段は、前記駆動手段の駆動力を前記開閉手段に伝達する駆動伝達部材を備えていることを特徴とする請求項１乃至３のいずれかに記載の遊技機。
【請求項５】
前記操作部を挿通可能な前記本体部の開口部の周縁部と、前記連動部材との間には、前記開状態と前記閉状態とに状態変化する前記開閉手段の変位方向において前記開閉手段を収容可能な空間が形成されていることを特徴とする請求項４に記載の遊技機。
【手続補正２】
【補正対象書類名】明細書
【補正対象項目名】０００７
【補正方法】変更
【補正の内容】
【０００７】
請求項１に記載の遊技機は、
遊技機の前面部に設けられる本体部と、
前記本体部に対して相対変位可能に設けられ、操作されたときの操作位置と、操作されていないときの非操作位置との間を変位する操作部と、
前記操作部を前記非操作位置側に付勢する付勢手段と、
前記操作部が前記操作位置に変位したことを検知する操作検知手段とを具備する操作手段を備え、
第１の状態と、前記第１の状態より前記操作部の操作面が前記本体部又は前記前面部から外方に突出する第２の状態とに前記操作手段を状態変化させる状態切替手段と、
所定の開状態と、前記所定の開状態より前記操作部の操作面の少なくとも一部が覆われる閉状態とに状態変化可能な開閉手段とを備え、
前記操作手段の前記操作部への操作状態に応じて前記開閉手段が動作することを特徴としている。
【手続補正書】
【提出日】平成23年9月13日(2011.9.13)
【手続補正１】
【補正対象書類名】特許請求の範囲
【補正対象項目名】全文
【補正方法】変更
【補正の内容】
【特許請求の範囲】
【請求項１】
遊技機の前面部に設けられる本体部と、
前記本体部に対して相対変位可能に設けられ、操作されたときの操作位置と、操作されていないときの非操作位置との間を変位する操作部と、
前記操作部を前記非操作位置側に付勢する付勢手段と、
前記操作部が前記操作位置に変位したことを検知する操作検知手段とを具備する操作手段を備え、
第１の状態と、前記第１の状態より前記操作部の操作面が前記本体部又は前記前面部から外方に突出する第２の状態とに前記操作手段を状態変化させる状態切替手段を備えていることを特徴とする遊技機。
【請求項２】
所定の開状態と、前記所定の開状態より前記操作面の少なくとも一部が覆われる閉状態とに状態変化可能な開閉手段を備えていることを特徴とする請求項１に記載の遊技機。
【請求項３】
前記状態切替手段は、前記操作手段全体を変位させることで、前記操作手段を、前記第１の状態と、前記第２の状態とに状態変化させることを特徴とする請求項１又は２に記載の遊技機。
【請求項４】
前記操作手段が前記第２の状態にあるときに、前記非操作位置にある前記操作部の前記操作面を押圧操作することで、前記操作部を前記操作位置へと変位させるとともに、前記操作手段を前記第１の状態へと状態変化させることが可能であることを特徴とする請求項１乃至３のいずれかに記載の遊技機。
【請求項５】
前記操作部を前記非操作位置側に付勢する前記付勢手段の付勢力は、前記操作手段を前記第２の状態において保持する前記状態切替手段の保持力よりも弱く、
前記操作手段が前記第２の状態にあるときに、前記非操作位置にある前記操作部の前記操作面を押圧操作することで、前記操作手段を前記第２の状態に維持しつつ、前記操作部を前記操作位置へと変位させることが可能であり、当該操作位置にある前記操作部の前記操作面を押圧操作することで、前記操作手段を前記第１の状態へと状態変化させることが可能であることを特徴とする請求項４に記載の遊技機。
【手続補正２】
【補正対象書類名】明細書
【補正対象項目名】０００７
【補正方法】変更
【補正の内容】
【０００７】
請求項１に記載の遊技機は、
遊技機の前面部に設けられる本体部と、
前記本体部に対して相対変位可能に設けられ、操作されたときの操作位置と、操作されていないときの非操作位置との間を変位する操作部と、
前記操作部を前記非操作位置側に付勢する付勢手段と、
前記操作部が前記操作位置に変位したことを検知する操作検知手段とを具備する操作手段を備え、
第１の状態と、前記第１の状態より前記操作部の操作面が前記本体部又は前記前面部から外方に突出する第２の状態とに前記操作手段を状態変化させる状態切替手段を備えていることを特徴としている。
【手続補正書】
【提出日】平成23年9月13日(2011.9.13)
【手続補正１】
【補正対象書類名】特許請求の範囲
【補正対象項目名】全文
【補正方法】変更
【補正の内容】
【特許請求の範囲】
【請求項１】
遊技機の前面部に設けられる本体部と、
前記本体部に対して相対変位可能に設けられ、操作されたときの操作位置と、操作されていないときの非操作位置との間を変位する操作部と、
前記操作部を前記非操作位置側に付勢する付勢手段と、
前記操作部が前記操作位置に変位したことを検知する操作検知手段とを具備する操作手段を備え、
所定の開状態と、前記所定の開状態より前記操作部の操作面の少なくとも一部が覆われる閉状態とに状態変化可能な開閉手段を備えていることを特徴とする遊技機。
【請求項２】
前記開閉手段が前記閉状態となった際に前記開閉手段によって覆われる部位に対して前記開閉手段及び前記操作手段以外の異物が存在していることを検知する進入検知手段を備え、
前記進入検知手段により前記開閉手段以外の異物が検知された場合には、前記開閉手段を前記閉状態へと状態変化させないことを特徴とする請求項１に記載の遊技機。
【請求項３】
前記進入検知手段は、
前記開閉手段が前記閉状態となった際に前記開閉手段によって覆われる部位に対して所定の物体が存在していることを検知する異物検知手段と、
前記異物検知手段によって検知されない位置にある前記開閉手段を検知する開閉検知手段とを備え、
前記異物検知手段の検知情報がない場合、及び、前記異物検知手段の検知情報があり、かつ、前記開閉検知手段の検知情報がない場合には、前記開閉手段の前記閉状態への状態変化が許可され、
前記異物検知手段の検知情報があり、かつ、前記開閉検知手段の検知情報がある場合には、前記開閉手段の前記閉状態への状態変化が許可されないことを特徴とする請求項２に記載の遊技機。
【請求項４】
前記操作手段は、
前記操作部に対向して設けられ、発光色の異なる複数の発光部を具備する発光手段と、
前記発光手段が搭載され、前記操作部に対して相対変位可能な発光体ブロックと、
前記発光体ブロックを変位させることのできる発光体駆動手段とを備え、
前記操作部は少なくとも一部において透光性を有し、
前記発光体駆動手段の駆動により前記発光体ブロックが変位することに伴って、前記発光色の異なる複数の発光部のうち点灯状態とされる前記発光部又はその組合せが変化することを特徴とする請求項１乃至３のいずれかに記載の遊技機。
【手続補正２】
【補正対象書類名】明細書
【補正対象項目名】０００７
【補正方法】変更
【補正の内容】
【０００７】
請求項１に記載の遊技機は、
遊技機の前面部に設けられる本体部と、
前記本体部に対して相対変位可能に設けられ、操作されたときの操作位置と、操作されていないときの非操作位置との間を変位する操作部と、
前記操作部を前記非操作位置側に付勢する付勢手段と、
前記操作部が前記操作位置に変位したことを検知する操作検知手段とを具備する操作手段を備え、
所定の開状態と、前記所定の開状態より前記操作部の操作面の少なくとも一部が覆われる閉状態とに状態変化可能な開閉手段を備えていることを特徴としている。
【手続補正書】
【提出日】平成23年8月3日(2011.8.3)
【手続補正１】
【補正対象書類名】特許請求の範囲
【補正対象項目名】全文
【補正方法】変更
【補正の内容】
【特許請求の範囲】
【請求項１】
打球発射装置により遊技球が打ち込まれる遊技領域に、該遊技領域を流下する遊技球が入球可能な始動入賞口が配置される遊技盤と、
該遊技盤の裏面に取り付けられ、かつ、前記始動入賞口に遊技球が入球したことに基づいて遊技の進行を制御するマイクロプロセッサが実装される主制御基板と、
を備えるパチンコ遊技機であって、
前記遊技盤は、少なくとも、
当該遊技盤の裏面に取り付けられ、かつ、前記主制御基板のマイクロプロセッサによる前記遊技の進行により駆動制御されて各種機能表示を行う発光体が集約されて複数実装される機能表示基板を備えるとともに、該機能表示基板に実装される前記複数の発光体とそれぞれ対応する位置に当該遊技盤の裏面から当該機能表示基板の実装面に向かって各発光体を収容可能な貫通穴を有する延出部が形成され、
前記機能表示基板に実装される前記複数の発光体のうちの一の発光体は、少なくとも、
前記各種機能表示のうち遊技状態として確率変動が発生しているか否かを表示する遊技状態表示発光体
に割り当てられ、
前記遊技状態表示発光体に割り当てられる前記貫通穴の断面形状は、当該遊技状態表示発光体が発光して当該貫通穴の内壁により反射する反射光であって、当該貫通穴から前記遊技盤の表面に向かう反射光量を抑制する反射光抑制形状を有することを特徴とするパチンコ遊技機。
【手続補正２】
【補正対象書類名】明細書
【補正対象項目名】０００８
【補正方法】変更
【補正の内容】
【０００８】
（解決手段１）
打球発射装置により遊技球が打ち込まれる遊技領域に、該遊技領域を流下する遊技球が入球可能な始動入賞口が配置される遊技盤と、該遊技盤の裏面に取り付けられ、かつ、前記始動入賞口に遊技球が入球したことに基づいて遊技の進行を制御するマイクロプロセッサが実装される主制御基板と、を備えるパチンコ遊技機であって、前記遊技盤は、少なくとも、当該遊技盤の裏面に取り付けられ、かつ、前記主制御基板のマイクロプロセッサによる前記遊技の進行により駆動制御されて各種機能表示を行う発光体が集約されて複数実装される機能表示基板を備えるとともに、該機能表示基板に実装される前記複数の発光体とそれぞれ対応する位置に当該遊技盤の裏面から当該機能表示基板の実装面に向かって各発光体を収容可能な貫通穴を有する延出部が形成され、前記機能表示基板に実装される前記複数の発光体のうちの一の発光体は、少なくとも、前記各種機能表示のうち遊技状態として確率変動が発生しているか否かを表示する遊技状態表示発光体に割り当てられ、前記遊技状態表示発光体に割り当てられる前記貫通穴の断面形状は、当該遊技状態表示発光体が発光して当該貫通穴の内壁により反射する反射光であって、当該貫通穴から前記遊技盤の表面に向かう反射光量を抑制する反射光抑制形状を有することを特徴とするパチンコ遊技機。
【手続補正３】
【補正対象書類名】明細書
【補正対象項目名】００１１
【補正方法】変更
【補正の内容】
【００１１】
機能表示基板に実装される前記複数の発光体のうちの一の発光体は、少なくとも、遊技状態表示発光体に割り当てられている。この遊技状態表示発光体は、各種機能表示のうち遊技状態として確率変動が発生しているか否かを表示するものである。
【手続補正４】
【補正対象書類名】明細書
【補正対象項目名】００１２
【補正方法】変更
【補正の内容】
【００１２】
遊技状態表示発光体に割り当てられる貫通穴の断面形状は、遊技状態表示発光体が発光してその貫通穴の内壁により反射する反射光であって、その貫通穴から遊技盤の表面に向かう反射光量を抑制する反射光抑制形状を有している。
【手続補正５】
【補正対象書類名】明細書
【補正対象項目名】００１３
【補正方法】変更
【補正の内容】
【００１３】
このように、遊技状態表示発光体に割り当てられる貫通穴の断面形状は反射光抑制形状を有している一方、遊技状態表示発光体に割り当てられていない他の貫通穴の断面形状は反射光抑制形状を有していないので、遊技状態表示発光体に割り当てられる貫通穴から遊技盤の表面に向かう反射光量は、他の貫通穴から遊技盤の表面に向かう反射光量より極めて小さくなる。機能表示基板には、複数の発光体が集約されて実装されているので、パチンコ遊技機の対面に着座する遊技者に対しては、遊技状態表示発光体に割り当てられる貫通穴から遊技盤の表面に向かう反射光が他の貫通穴から遊技盤の表面に向かう反射光に紛れることなく視認することができる一方、そのパチンコ遊技機と隣接する他のパチンコ遊技機の対面に着座する遊技者に対しては、遊技状態表示発光体に割り当てられる貫通穴から遊技盤の表面に向かう反射光が他の貫通穴から遊技盤の表面に向かう反射光に紛れて視認することが困難となる。そうすると、隣から遊技状態表示発光体の発光態様を視認することが困難となっていることを熟知する遊技者は、わざわざ隣からチラチラのぞき見する無意味な行為を行わなくなる。したがって、遊技状態表示発光体の発光態様がのぞき見されるのを防止することができる。
【手続補正６】
【補正対象書類名】明細書
【補正対象項目名】００１４
【補正方法】変更
【補正の内容】
【００１４】
本実施形態では、例えば、図７の打球発射装置３００が打球発射装置に相当し、図１１８の遊技領域２５５が遊技領域に相当し、図１１８の上始動入賞口１２７０、中始動入賞口１３３０及び下始動入賞口１３４０が始動入賞口に相当し、図１１８の遊技盤４が遊技盤に相当し、図１４０の主制御ＭＰＵ１７００ａがマイクロプロセッサに相当し、図１４０の主制御基板１７００が主制御基板に相当し、図１のパチンコ遊技機１がパチンコ遊技機に相当し、図１３７のＬＥＤ１〜ＬＥＤ１２が発光体に相当し、図１３７の機能表示基板１２２５ａが機能表示基板に相当し、図１３７の貫通穴２５１ｂ，２５１ｅが貫通穴に相当し、図１３７の延出部２５１ｂａ，２５ｅａが延出部に相当し、図１３７のＬＥＤ１０が遊技状態表示ランプ１５４０であって遊技状態表示発光体に相当し、図１３７のＹ−Ｙ線で切断した断面図で示した形状が反射光抑制形状に相当する。
【手続補正書】
【提出日】平成23年9月9日(2011.9.9)
【手続補正１】
【補正対象書類名】特許請求の範囲
【補正対象項目名】全文
【補正方法】変更
【補正の内容】
【特許請求の範囲】
【請求項１】
コンピュータ上で動作し、交換レンズの光学特性に起因する画像劣化を補正するために用いられる光学補正データを撮像装置に登録する光学補正データ登録プログラムであって、
前記撮像装置に対して、該撮像装置に装着されている交換レンズ及び前記撮像装置に前記光学補正データが登録済みの交換レンズの情報の送信を要求するステップと、
前記撮像装置から前記交換レンズの情報を前記コンピュータに送信させるステップと、
前記撮像装置から受信した前記交換レンズの情報に基づいて、前記コンピュータに該交換レンズの名称の一覧表を表示させるステップと、
前記一覧表上において、ユーザーに前記光学補正データを前記撮像装置に登録する登録対象交換レンズを選択させるステップと、
前記撮像装置に装着可能な複数の交換レンズごとに前記コンピュータに記憶された前記光学補正データのうち、前記登録対象交換レンズの光学補正データであって前記撮像装置が有する画像劣化補正機能に応じたデータを前記撮像装置に送信して登録させるステップとを有することを特徴とする光学補正データ登録プログラム。
【請求項２】
前記光学補正データを前記撮像装置に送信して登録させるステップにおいて、複数の前記登録対象交換レンズが同じ名称と互いに異なる前記情報とを有する場合に、該複数の登録対象交換レンズに対して共通する前記光学補正データを前記撮像装置に送信することを特徴とする請求項１に記載の光学補正データ登録プログラム。
【請求項３】
請求項１又は２に記載の光学補正データ登録プログラムが動作するコンピュータに接続される撮像装置であって、
前記コンピュータから受信した前記光学補正データを記憶するメモリを有することを特徴とする撮像装置。
【請求項４】
請求項１又は２に記載の光学補正データ登録プログラムが動作するコンピュータを有することを特徴とする光学補正データ登録装置。
【請求項５】
交換レンズの光学特性に起因する画像劣化を補正するために用いられる光学補正データを撮像装置に登録させる情報処理装置であって、
表示手段と、
前記光学補正データを記憶する記憶媒体と、
前記撮像装置と通信を行う通信手段とを有し、
前記撮像装置から、該撮像装置に装着されている交換レンズ及び前記撮像装置に前記光学補正データが登録済みの交換レンズの情報を、前記通信手段を介して受信し、
ユーザーに前記前記光学補正データを前記撮像装置に登録する登録対象交換レンズを選択させるために、前記撮像装置から受信した前記交換レンズの情報に基づいて、前記表示手段に前記交換レンズの名称の一覧表を表示させ、
前記撮像装置に装着可能な複数の交換レンズごとに前記記憶媒体に記憶された前記光学補正データのうち、ユーザーによって選択された前記登録対象交換レンズの光学補正データであって前記撮像装置が有する画像劣化補正機能に応じたデータを、前記通信手段を介して前記撮像装置に送信して登録させることを特徴とする情報処理装置。
【手続補正２】
【補正対象書類名】明細書
【補正対象項目名】発明の名称
【補正方法】変更
【補正の内容】
【発明の名称】光学補正データ登録プログラム、撮像装置、光学補正データ登録装置及び情報処理装置
【手続補正３】
【補正対象書類名】明細書
【補正対象項目名】０００８
【補正方法】変更
【補正の内容】
【０００８】
本発明の一側面しての光学補正データ登録プログラムは、コンピュータ上で動作し、交換レンズの光学特性に起因する画像劣化を補正するために用いられる光学補正データを撮像装置に登録する。該プログラムは、撮像装置に対して、該撮像装置に装着されている交換レンズ及び撮像装置に光学補正データが登録済みの交換レンズの情報の送信を要求するステップと、撮像装置から交換レンズの情報をコンピュータに送信させるステップと、撮像装置から受信した交換レンズの情報に基づいて、コンピュータに該交換レンズの名称の一覧表を表示させるステップと、一覧表上において、ユーザーに光学補正データを撮像装置に登録する登録対象交換レンズを選択させるステップと、撮像装置に装着可能な複数の交換レンズごとにコンピュータに記憶された光学補正データのうち、登録対象交換レンズの光学補正データであって撮像装置が有する画像劣化補正機能に応じたデータを撮像装置に送信して登録させるステップとを有することを特徴とする。
本発明の別側面としての情報処理装置は、交換レンズの光学特性に起因する画像劣化を補正するために用いられる光学補正データを撮像装置に登録させる。該装置は、表示手段と、光学補正データを記憶する記憶媒体と、撮像装置と通信を行う通信手段とを有する。そして、撮像装置から、該撮像装置に装着されている交換レンズ及び撮像装置に光学補正データが登録済みの交換レンズの情報を、通信手段を介して受信し、ユーザーに前記前記光学補正データを撮像装置に登録する登録対象交換レンズを選択させるために、撮像装置から受信した前記交換レンズの情報に基づいて、表示手段に前記交換レンズの名称の一覧表を表示させる。さらに、撮像装置に装着可能な複数の交換レンズごとに記憶媒体に記憶された光学補正データのうち、ユーザーによって選択された登録対象交換レンズの光学補正データであって撮像装置が有する画像劣化補正機能に応じたデータを、通信手段を介して撮像装置に送信して登録させることを特徴とする。
【手続補正４】
【補正対象書類名】明細書
【補正対象項目名】００５３
【補正方法】変更
【補正の内容】
【００５３】
また、アプリケーションは、パーソナルコンピュータ３０２内に記憶されている光学補正データの中に、装着レンズ３０４用の光学補正データが含まれているか否かを判定する（Ｓ７０５）。含まれていれば、登録済の交換レンズ数がカメラ本体３０１における最大登録数を超えているか否かを判定する（Ｓ７０６）。最大登録数より少ない場合は、領域６０２内に表示されている装着レンズ３０４のチェックボックスにチェックマークを入れる（Ｓ７０７）。
【手続補正書】
【提出日】平成23年9月13日(2011.9.13)
【手続補正１】
【補正対象書類名】特許請求の範囲
【補正対象項目名】全文
【補正方法】変更
【補正の内容】
【特許請求の範囲】
【請求項１】
放送デジタル動画コンテンツを受信する放送受信部と、通信サーバからデジタル動画コンテンツのデータを受信する通信部と、前記放送受信部および前記通信部のいずれから受信したデジタル動画コンテンツであってもこれを表示可能な表示部と、前記放送受信部によって受信されるデジタル動画コンテンツからのリンクにより前記通信サーバから受信すべきデジタル動画コンテンツのデータを指定する指定操作部とを有することを特徴とするコンテンツ受信装置。
【請求項２】
前記指定操作部による指定に基づいて前記通信サーバからデジタル動画コンテンツのデータを受信するための受信実行部と、前記指定部による指定を記憶するための記憶部と、通信サーバにおける指定されたデジタル動画コンテンツのデータの保管期限未到来が確認できたときは指示されたデジタル動画コンテンツのデータの前記受信実行部による受信実行を自動保留して前記指定部による指定を前記記憶部に自動記憶させるとともに保管期限未到来が確認できないときは指示されたデジタル動画コンテンツのデータの前記受信実行部による受信を自動実行させる判定部と、前記受信実行部により受信されたデジタル動画コンテンツのデータを保存する保存部とを有することを特徴とする請求項２記載のコンテンツ受信装置。
【請求項３】
前記指定部は、前記表示部に途中部が表示されている前記放送受信部により受信されたデジタル動画コンテンツからのリンクにより通信サーバから受信すべきデジタル動画コンテンツの冒頭部のデータのを指定することを特徴とする請求項１記載のコンテンツ受信装置。
【請求項４】
外部から予め決められたスケジュールに従って受信する所定のデジタル動画コンテンツを表示する表示部と、前記表示部に現に表示されているデジタル動画コンテンツからのリンクによりそのデジタル動画コンテンツの別の部分を指定する指定部と、前記指定部によって指定されたデジタル動画コンテンツの別の部分を通信サーバから受信する通信部とを有することを特徴とするコンテンツ受信装置。
【請求項５】
所望のコンテンツを指定する指定部と、指定されたコンテンツの次回指定を容易にするための情報を記憶する記憶部と、前記記憶部の前記情報および配信装置における指定されたコンテンツの保管に関する情報に基づき指定されたコンテンツデータを配信装置から自動的に受信して保存する保存部を有することを特徴とするコンテンツ受信装置。
【請求項６】
放送デジタル動画コンテンツを受信する放送受信部と、通信サーバからデジタル動画コンテンツを受信する通信部と、前記放送受信部および前記通信部のいずれから受信したデジタル動画コンテンツであってもこれを表示可能な表示部と、前記放送受信部による受信するデジタル動画コンテンツに関する操作を行う操作部と、前記操作部の操作に基づき通信サーバとの常時通信状態を確立する通信制御部とを有すること特徴とするコンテンツ受信装置。